(57)【要約】【課題】携帯性および収納性に優れ、収納状態を安定して保持できるメジャーを提供する。【解決手段】本発明のメジャー１は、目盛りが付された長尺なメジャー本体２と、メジャー本体２の一端側に設けられた板状部材３とを備える。板状部材３の両側部には、メジャー本体２の延在方向に対して略直角な方向に立ち上がる側壁部３ｃ，３ｃが設けられる。メジャー本体２の他端側には保持板４が設けられ、メジャー本体２の全体を板状部材３の周囲に巻回した状態で保持板４が側壁部３ｃ，３ｃ同士の間に位置される。【選択図】図４
2011158308.tif 000002
【特許請求の範囲】
【請求項１】
目盛りが付された長尺なメジャー本体と、
前記メジャー本体の一端側に設けられた板状部材と、
を備え、
前記板状部材の両側部には、該板状部材の主面に対して略直角に立ち上がる側壁部が設けられることを特徴とするメジャー。
【請求項２】
前記メジャー本体の他端側に保持板が設けられ、前記メジャー本体の全体を前記板状部材の周囲に巻回した状態で前記保持板が前記側壁部同士の間に位置されるようになっていることを特徴とする請求項１に記載のメジャー。
【請求項３】
前記メジャー本体の全体を前記板状部材の周囲に巻回した状態で前記側壁部同士の間に位置される前記保持板が前記側壁部の立ち上がり端部から突出しないことを特徴とする請求項２に記載のメジャー。
【請求項４】
前記各側壁部は、前記板状部材の前記主面に対して互いに相反する両方向で略直角に立ち上がっていることを特徴とする請求項１ないし請求項３のいずれか１項に記載のメジャー。
【発明の詳細な説明】
【技術分野】
【０００１】
本発明は、特に魚の大きさを計測するのに適したメジャーに関する。
【背景技術】
【０００２】
魚の大きさを計測するための専用のメジャーは従来から知られている。例えば特許文献１に開示されるメジャーは、目盛りが付されたテープ状の長尺なメジャー本体と、メジャー本体の一端部に設けられる位置決め部材とを備えており、起立させた前記位置決め部材に魚の頭部先端を当てつけて位置決めした状態でメジャー本体の目盛りから魚の大きさ（体長）を計測できるようになっている。
【先行技術文献】
【特許文献】
【０００３】
【特許文献１】実用新案登録第３１２８１８８号
【発明の概要】
【発明が解決しようとする課題】
【０００４】
ところで、前記メジャーは、超尺であるため、その携帯性および収納性が問題になる。通常は、メジャーを折り畳んだり或いは巻回してケース等に収納したり持ち歩いたりするが、その場合、メジャーがその幅方向にずれたりするなど、メジャーの折り畳み状態または巻回状態を良好に保持できないといった問題が生じることが多々ある。
【０００５】
本発明は、前記事情に着目してなされたものであり、その目的とするところは、携帯性および収納性に優れ、収納状態を安定して保持できるメジャーを提供することにある。
【課題を解決するための手段】
【０００６】
前記課題を解決するために、請求項１に記載のメジャーは、目盛りが付された長尺なメジャー本体と、前記メジャー本体の一端側に設けられた板状部材とを備え、前記板状部材の両側部には、該板状部材の主面に対して略直角に立ち上がる側壁部が設けられることを特徴とする。
【０００７】
この請求項１に記載のメジャーによれば、板状部材の主面に対して略直角に立ち上がる側壁部が板状部材の両側部に設けられているため、メジャー本体の全体を前記板状部材の周囲に巻回した巻き付け収納状態では、巻回されたメジャー本体が前記側壁部によって両側から保持され、巻回収納状態のメジャー本体がその幅方向（メジャー本体の長手方向に対して垂直な方向）にずれることが防止されるとともに、メジャー本体の側縁部が側壁部によって保護される（側縁部の損傷が防止される）。つまり、上記構成によれば、板状部材およびその側壁部によってメジャー本体を巻回状態でコンパクトに収納できるとともに、その巻回状態（収納状態）を側壁部によって安定して保持することができ、携帯性および収納性に優れる。
なお、上記構成において、板状部材の「主面」とは、メジャー本体が巻き付けられる板状部材の面（巻回されるメジャーを受ける面）のことであり、板状部材の周囲にメジャー本体を巻き付け始める際にメジャー本体の延在方向（メジャー本体の長手方向を含む）に沿う板状部材の面のことである。
【０００８】
また、請求項２に記載のメジャーは、請求項１に記載のメジャーにおいて、前記メジャー本体の他端側に保持板が設けられ、前記メジャー本体の全体を前記板状部材の周囲に巻回した状態で前記保持板が前記側壁部同士の間に位置されるようになっていることを特徴とする。
【０００９】
この請求項２に記載のメジャーによれば、請求項１に記載のメジャーと同様の作用効果が得られるとともに、前記メジャー本体の全体を前記板状部材の周囲に巻回した状態で、前記保持板が、前記側壁部同士の間でその幅方向の動きが規制されつつ、その下側に位置するメジャー本体を押圧保持するため、メジャー本体をその幅方向にずらすことなく安定して保持することができる。
【００１０】
また、請求項３に記載のメジャーは、請求項２に記載のメジャーにおいて、前記メジャー本体の全体を前記板状部材の周囲に巻回した状態で前記側壁部同士の間に位置される前記保持板が前記側壁部の立ち上がり端部から突出しないことを特徴とする。
【００１１】
この請求項３に記載のメジャーによれば、請求項２に記載のメジャーと同様の作用効果が得られるとともに、メジャー本体の全体を前記板状部材の周囲に巻回した状態で前記側壁部同士の間に位置される前記保持板が前記側壁部の立ち上がり端部から突出しないため、巻回収納状態のメジャーをケース等に収納して移動する際に、メジャーが他のものに引っ掛かることが防止される。これに対し、保持板が側壁部の立ち上がり端部から突出していると、その突出部が他のものに引っ掛かる虞がある。
【００１２】
また、請求項４に記載のメジャーは、請求項１ないし請求項３のいずれか１項に記載のメジャーにおいて、前記各側壁部が、前記板状部材の前記主面に対して互いに相反する両方向で略直角に立ち上がっていることを特徴とする。
【００１３】
この請求項４に記載のメジャーによれば、請求項１ないし請求項３のいずれか１項に記載のメジャーと同様の作用効果が得られるとともに、前記各側壁部が前記板状部材の前記主面に対して互いに相反する両方向で略直角に立ち上がっているため、巻回されたメジャー本体の全体を側壁部によって両側から保持することができ、したがって、巻回収納状態のメジャー本体がその幅方向にずれることを確実に防止できるとともに、メジャー本体の側縁部全体を側壁部によって保護することができる。
【発明の効果】
【００１４】
本発明によれば、携帯性および収納性に優れ、収納状態を安定して保持できるメジャーを提供できる。
【図面の簡単な説明】
【００１５】
【図１】本発明の第１の実施形態に係るメジャーの展開状態の平面図である。
【図２】図１のメジャーの一端側の要部斜視図である。
【図３】図１のメジャーの一端側の要部の分解斜視図である。
【図４】保持部材を除くメジャー本体全体を板状部材の周囲に巻回した非固定状態の斜視図である。
【図５】保持部材と共にメジャー本体全体を板状部材の周囲に巻回した固定状態（巻回収納状態）の斜視図である。
【図６】本発明の第２の実施形態に係るメジャーの巻回収納状態の斜視図である。
【発明を実施するための形態】
【００１６】
以下、添付図面を参照して本発明に係るメジャーの実施形態について説明する。
図１は、本発明の第１の実施形態に係るメジャー１の展開状態の平面図である。図示のように、メジャー１は、長尺なメジャー本体２と、メジャー本体２の一端側に設けられた板状部材３と、メジャー本体２の他端側に設けられた保持板４とを備える。
【００１７】
保持板４は、メジャー本体２の他端側をその幅方向にわたって覆う金属板（ＳＵＳ等）から成り、その幅方向の略中間位置に設けられた貫通穴４ａに巻回固定手段としてのベルクロテープ（登録商標）から成る固定ストリップ５が挿通して取り付けられている。
【００１８】
メジャー本体２は、アクリル、ＰＥ、ＰＶＣ等の合成樹脂製のテープ状部材から成る。メジャー本体２の表面には、その一側縁に沿って例えば１ｍｍ単位で目盛８が付されている。また、メジャー本体２は、目盛り８が付された一側縁以外の領域に、１０ｃｍ毎に色分けされた目盛り区間表示１０Ａ，１０Ｂ・・・を長手方向全体にわたって有している。具体的には、これらの目盛り区間表示は、１０ｃｍ台（１０ｃｍ以上２０ｃｍ未満）の目盛り区間にわたって延びる例えば赤色の区間帯（１０ｃｍ台を示す数字“１”が記された）１０Ａ、２０ｃｍ台（２０ｃｍ以上３０ｃｍ未満）の目盛り区間にわたって延びる例えば白色の区間帯（２０ｃｍ台を示す数字“２”が記された）１０Ｂ、３０ｃｍ台（３０ｃｍ以上４０ｃｍ未満）の目盛り区間にわたって延びる例えば赤色の区間帯（３０ｃｍ台を示す数字“３”が記された）１０Ａ、４０ｃｍ台（４０ｃｍ以上５０ｃｍ未満）の目盛り区間にわたって延びる例えば白色の区間帯（４０ｃｍ台を示す数字“４”が記された）１０Ｂ・・・といったように、２色の区間帯がメジャー本体２の長手方向に沿って交互に配置されて成る。
【００１９】
また、板状部材３は、例えば金属製（ＳＵＳ等）のものであり、図２および図３に明確に示されるように、メジャー本体２の一端側にハトメでカシメ固定された例えば金属製（ＳＵＳ等）の支持部材１４に対して回動可能に取り付けられている。具体的には、支持部材１４は、金属板を略Ｕ字状に折り返して成り、その折り返された板部同士の間に形成される隙間１４ａにメジャー本体の一端を挿入して挟持させた状態で、支持部材１４に設けられた取り付け穴１９とそれに対応してメジャー本体２に設けられた取り付け穴２２とにカシメ部材２１を挿通してかしめることによりメジャー本体２の一端側に取り付け固定される。
【００２０】
また、支持部材１４の折り返し部は略管状のヒンジ部１３として形成されており、ヒンジ部１３にその管孔に連通して形成された例えば一対の回動溝１３ａ，１３ａ内に板状部材３の孔付きブラケット１１，１１を挿入した状態でヒンジ部１３の管孔に枢支ピン１５を挿通することにより、板状部材３が支持部材１４に対して回動可能に取り付けられる。この回動可能な取り付けにより、板状部材３は、その主面（後述するようにメジャー本体２が巻き付けられる板状部材の面）３ａがメジャー本体２の延在方向に沿う図１に示される倒伏位置（回動角が０度）と、図２に示される起立位置との間で回動できる。なお、板状部材３は、その起立状態で、魚の頭部先端を当てつけて位置決めするための位置決め機能を果たすことができる。
【００２１】
また、板状部材３は、支持部材１４に対するその回動範囲を９０度以内に規制するための規制部３ｂを有する。この規制部３ｂは、板状部材３の主面３ａと反対側の面で板状部材３の回動端縁から主面３ａに対して略垂直に延出しており、板状部材３が支持部材１４に対して９０度回動した起立状態でヒンジ部１３およびその近傍の支持部材１４部位に当接することにより板状部材３のそれ以上の回動を規制する。
【００２２】
また、板状部材３の両側部には、板状部材３の主面３ａ側で該主面３ａに対して略直角に立ち上がる側壁部３ｃ，３ｃが設けられている。このような側壁部３ｃは、図４および図５に示されるようにメジャー本体２の全体を板状部材３（の主面３ａ）の周囲に巻回する際に、巻回されたメジャー本体２を両側から保持することができる。
【００２３】
また、本実施形態では、図５に示されるように、メジャー本体２の全体を板状部材３の周囲に巻回した状態で保持板４が側壁部３ｃ，３ｃ同士の間に位置されるようになっている。更に、本実施形態では、メジャー本体２の全体を板状部材３の周囲に巻回した状態で側壁部３ｃ，３ｃ同士の間に位置される保持板４が側壁部３ｃ，３ｃの立ち上がり端部３９から突出しないようになっている。すなわち、そのような形態となるように側壁部３ｃの高さや保持板４の厚さ等が設定されている。
【００２４】
以上説明した構成のメジャー１においては、その使用時、メジャー本体２を図１に示されるように展開させるとともに、図２に示されるように板状部材３を起立させ、起立させた板状部材３に魚の頭部先端を当てつけて位置決めした状態でメジャー本体２の目盛り８から魚の大きさ（体長）を計測する。一方、メジャー１を使用しないときには、必要に応じて、メジャー本体２の全体を板状部材３（の主面３ａ）の周囲に巻回した巻き付け収納状態とする（図５参照）。このとき、固定ストリップ５によってその巻回状態を保持する。
【００２５】
以上説明したように、本実施形態のメジャー１によれば、板状部材３の主面３ａに対して略直角に立ち上がる側壁部３ｃ，３ｃが板状部材３の両側部に設けられているため、メジャー本体２の全体を板状部材３の周囲に巻回した巻き付け収納状態では、巻回されたメジャー本体２が側壁部３ｃ，３ｃによって両側から保持され、したがって、巻回収納状態のメジャー本体２がその幅方向（メジャー本体２の長手方向に対して垂直な方向）にずれることが防止されるとともに、メジャー本体２の側縁部が側壁部３ｃ，３ｃによって保護される（側縁部の損傷が防止される）。つまり、上記構成によれば、板状部材３およびその側壁部３ｃ，３ｃによってメジャー本体２を巻回状態でコンパクトに収納できるとともに、その巻回状態（収納状態）を側壁部３ｃ，３ｃによって安定して保持することができ、携帯性および収納性に優れる。
【００２６】
また、本実施形態のメジャー１によれば、メジャー本体２の全体を板状部材３の周囲に巻回した状態で、保持板４が、側壁部３ｃ，３ｃ同士の間でその幅方向の動きが規制されつつ、その下側に位置するメジャー本体２を押圧保持するため、メジャー本体２をその幅方向にずらすことなく安定して保持することができる。
【００２７】
また、本実施形態のメジャー１によれば、メジャー本体２の全体を板状部材３の周囲に巻回した状態で側壁部３ｃ，３ｃ同士の間に位置される保持板４が側壁部３ｃ，３ｃの立ち上がり端部３９から突出しないため、巻回収納状態のメジャー１を衣服のポケットやケース等に収納して移動する際に、メジャー１が他のものに引っ掛かることが防止される。これに対し、保持板４が側壁部３ｃ，３ｃの立ち上がり端部３９から突出していると、その突出部が他のものに引っ掛かってメジャー１を取り出し難く、また、ポケットからメジャー１を取り出すときに他のものを引きずり出してそれを落下させてしまう虞がある。
【００２８】
図６は本発明の第２の実施形態を示している。図示のように、本実施形態では、第１の実施形態に係る側壁部３ｃ，３ｃが板状部材３の両面に設けられた形態を成す幅広の側壁部３ｃ’，３ｃ’が板状部材３の両側部に設けられている（主面３ａの反対側にも側壁部がある）。すなわち、本実施形態においては、第１の実施形態の各側壁部３ｃ，３ｃが板状部材３の主面３ａに対して互いに相反する両方向で略直角に立ち上がっている。なお、それ以外の構成は第１の実施形態と同じである。
【００２９】
このような構成によれば、側壁部が板状部材３の両面に設けられているため、巻回されたメジャー本体２の全体を側壁部３ｃ’，３ｃ’によって両側から保持することができ、したがって、巻回収納状態のメジャー本体２がその幅方向にずれることを確実に防止できるとともに、メジャー本体２の側縁部全体を側壁部３ｃ’，３ｃ’によって保護することができる。
【符号の説明】
【００３０】
１  メジャー
２  メジャー本体
３  板状部材
３ｃ，３ｃ’  側壁部
３ｄ  主面
４  保持板
【図１】
2011158308.tif 000003
【図２】
2011158308.tif 000004
【図３】
2011158308.tif 000005
【図４】
2011158308.tif 000006
【図５】
2011158308.tif 000007
【図６】
2011158308.tif 000008